(57)【特許請求の範囲】
【請求項１】
演奏用のダンパ操作手段を、ダンパを弦から浮かせた操作状態で固定するグランドピアノのダンパ固定方法において、
前記ダンパ操作手段は、押鍵操作により前記ダンパを前記弦から浮かせるアクション装置であって、
前記押鍵操作がなされるよう、鍵盤蓋と前記鍵との間に詰物を詰めて前記鍵盤蓋を閉め、該鍵盤蓋を閉めた状態が維持されるようグランドピアノ本体を梱包することにより前記アクション装置を前記操作状態に固定することを特徴とするグランドピアノのダンパ固定方法。
【発明の詳細な説明】
【０００１】
【発明の属する技術分野】
本発明は、グランドピアノのダンパ固定方法に関する。
【０００２】
【従来の技術】
従来より、グランドピアノは、棚板の下面側に取り付けられている脚、ペダル、ペダル柱等をピアノ本体から外し、低音側の側面を下にしてピアノ本体を立てて運送している。この状態では、ダンパが弦に対して自由に動きうるため、運搬中にダンパが弦に衝突して、ダンパフェルトが変形したり、傷ついたりする恐れがある。そのため、特願平１２−４９５２０号公報に記載されているグランドピアノのダンパー固定方法では、図６に示すように、ダンパ１００と本持レール１０２との間に緩衝材１０４を装着し、ダンパ１００を弦１０６に押しつけることによってダンパ１００を固定していた。
【０００３】
【発明が解決しようとする課題】
しかし、通常ダンパ１００は、図７に示すように、複数のグループに分かれてピアノ本体内に設置されている。そのため、上述した緩衝材を用いてダンパ１００を固定する場合、各グループの大きさに合ったものを用意せねばならないという問題があった。加えて、各グループの大きさはそれぞれ異なるので、各緩衝材がどのグループ用の物なのかを緩衝材に予め明示せねばならないという問題があった。
【０００４】
また、異なる機種のピアノ間では、グループに含まれるダンパ１００の数やグループの数が異なることがあるので、他のピアノ用の緩衝材を利用することができず、機種ごとに緩衝材を用意せねばならないという問題があった。
本発明は上記問題点を解決することを課題とするものであり、グランドピアノの運搬中にダンパが弦に当たって傷つくことを、緩衝材を用いることなく防止するためのグランドピアノのダンパ固定方法を提供することを目的とする。
【００１０】
【課題を解決するための手段及び発明の効果】
請求項１記載の発明のように、ダンパ操作手段としては、押鍵操作によりダンパを弦から浮かせるアクション装置も該当するので、押鍵操作がなされるよう、鍵盤蓋と鍵との間に詰物を詰めて鍵盤蓋を閉め、鍵盤蓋を閉めた状態が維持されるようグランドピアノ本体を梱包することによりアクション装置を操作状態に固定してもよい。このようにすれば、グランドピアノ本外が梱包されている限り、ダンパが弦に当たることがないがないので、グランドピアノの運搬中にダンパが弦に当たって傷つくことを、緩衝材を用いることなく防止することができる。
【００１１】
尚、鍵盤蓋を閉めた状態にロックする施錠具があれば、鍵盤蓋と鍵との間に詰物を詰めて鍵盤蓋を閉め、鍵盤蓋を施錠具でロックすることによりアクション装置を操作状態に固定してもよい。
【００１２】
【発明の実施の形態】
［第１実施形態］
本発明が適用された第１実施形態について以下説明する。
ここで、図１は、グランドピアノの側面側から見た演奏装置の構成図である。
【００１３】
本実施形態のグランドピアノ１は、図１に示すように、鍵を押鍵して弦を打弦するアクション装置３と、演奏用のダンパ操作装置５としてのラウドペダル装置５０を備えている。尚、以下の説明では、演奏者がグランドピアノ１を弾く演奏位置にいるとき、演奏者が正面を向く方向を正面方向、背面を向く方向を背面方向と呼ぶ。
このうちアクション装置３は、ピアノ本体１０の棚板１２上に設置され、鍵部３０と伝達部４０とからなる。
【００１４】
鍵部３０は、鍵３２と筬３４とからなり棚板１２上に設置される。鍵部３０は鍵３２を８８本備え、各鍵３２は筬３４上に並列に設置される。筬３４は、鍵３２の配列方向に長尺な板材であり、その幅方向中程には鍵３２に配列方向に沿って長尺な中筬３６が設けられている。鍵３２は、この中筬３６を支点に揺動するよう筬３４上に載置される。
【００１５】
伝達部４０は、ハンマー４２と、アクション４４とからなる。そして、鍵３２の長手方向略中央の上方に、鍵３２の配列方向に沿ってハンマーシャンクレール４６が設けられており、ハンマー４２は、このハンマーシャンクレール４６の正面方向側に揺動自在に取り付けられている。一方、アクション４４は、ハンマー４２と鍵３２との間の位置であって、鍵３２が押鍵されたときに持ち上がってハンマー４２を突き上げ自在な位置に設置される。このアクション４４は、グランドピアノ１に備えられた一般的な構成のものなので、その詳細な説明については省略する。
このアクション装置３は、通常、伝達部４０の重みで鍵３２の正面方向側が下がっているので、鍵３２の背面方向側を押鍵すると、鍵３２が中筬３６を支点に揺動し、アクション４４を介してハンマー４２を突き上げて弦２を打弦し、鍵３２の操作を中止すると、ハンマー４２及びアクション４４の重みで元の位置に戻るようにされている。
【００１６】
次に、ラウドペダル装置５０は、具体的には、ラウドペダル５２の踏み操作により、グランドピアノ１に備えられたすべてのダンパ６６を一斉に弦２から浮かせるよう操作するためのものである。このラウドペダル装置５０は、ラウドペダル５２と、レバー突上棒５４と、ラウドレバー５６と、レール突上棒５８と、リフティングレール６０と、ダンパレバー６２と、ダンパワイヤー６４と、ダンパ６６とからなる。
【００１７】
このうちラウドペダル５２は、棚板１２の下面に垂直に取り付けられたペダル柱１４の下端に揺動自在に取り付けられ、背面方向側の端部５２ａを踏み操作すると正面方向側の端部５２ｂが上方に移動するよう揺動する。レバー突上棒５４は、下端がラウドペダル５２の正面方向側の端部５２bに接続されるとともに、ペダル柱１４の長さ方向とレバー突上棒５４の長さ方向とが沿いかつ、レバー突上棒５４の長さ方向に平行移動自在となるようペダル柱１４の正面方向側に取り付けられる。そして、このレバー突上棒５４は、ラウドペダル５２を踏み操作すると上方に平行移動する。
【００１８】
ラウドレバー５６は、棚板１２の下面に正面方向側の端部を支点に回動自在に取り付けられ、一方、その背面方向側の端部である操作点５６ａにはレバー突上棒５４の上端が接続される。そしてこのラウドレバー５６は、レバー突上棒５４の上下動に伴って回動する。レール突上棒５８は、ラウドレバー５６の長さ方向の略中心部分にその下端が接続され、棚板１２を貫通し、その長さ方向に沿って上下に平行移動自在に設置されている。そしてこのレール突上棒５８は、ラウドレバー５６が上方に回動すると上方に向かって平行移動する。
【００１９】
リフティングレール６０は、棚板１２の上面側に鍵３２の配列方向に沿って設置されるとともに、リフティングレール６０よりも正面方向側に設置されたダンパレバーレール１６に対し回動自在に取り付けられ、このリフティングレール６０の背面方向側の下面には、レール突上棒５８の上端が接続される。そしてこのリフティングレール６０は、レール突上棒５８が上方に移動すると棚板から持ち上げられる。ダンパレバー６２は、ダンパレバーレール１６に揺動自在に取り付けられている。そしてグランドピアノ１に備えられるすべてのダンパレバー６２は、長さ方向略中央部分に設けられたキャプスタンスクリュー６２ｃを介してリフティングレール６０の上面に接し、リフティングレール６０が持ち上がると、背面方向側の端部６２ａが上方に向かって一斉に回動する。
【００２０】
ダンパワイヤー６４は、ダンパレバー６２の上方に配置され、ピアノ本体１０を構成するバック１８（響板１８ａ、打ち回し１８ｂ、支柱１８ｃからなる）にガイドレール１８ｄを介して、上下方向に沿って平行移動自在に取り付けられ、その下端は、ダンパレバー６２の背面方向側の端部６２ａに接続されている。このダンパワイヤー６４は、ダンパレバー６２の背面方向側の端部６２ａが上方に移動すると、上方に向かって平行移動する。ダンパ６６は、ダンパワイヤー６４の上端に取り付けられ、ダンパワイヤー６４とともに上下方向へ移動する。このダンパ６６の下面には、ダンパフェルト６６ａが取り付けられ、ラウドペダル装置５０が踏み操作されていないときは、このダンパフェルト６６ａが弦２に接触するよう設置されている。
また、このラウドペダル装置５０のうち、レバー突上棒５４は、ペダル柱１４をピアノ本体１０から取り外す際、ラウドレバー５６から取り外すことができるようにされている。
【００２１】
次に、本実施形態のグランドピアノ１は、棚板１２の下面側であって、ラウドレバー５６の背面方向側端部５６ａとレール突上棒５８との略中間地点の傍らに、Ｌ字ピン６８を備えている。このＬ字ピン６８は、ラウドペダル５２が踏み操作されてラウドレバー５６が回動し、ダンパ６６が弦２から浮いた状態になったときの回動位置で、ラウドレバー５６に鉤爪部６８ａが引掛けられるよう棚板１２に取り付けられている。このＬ字ピン６８は本発明の第１引掛部材に相当する。
このように構成された本実施形態のグランドピアノ１のダンパ６６を弦２から浮かせた状態で固定するダンパ固定方法について図２（ａ）を用いて説明する。
【００２２】
ここで、図２は、グランドピアノ１の演奏装置を側面から見た構成図で、（ａ）はラウドレバーにＬ字ピンを引っかけた様子を示している。尚、図２では、説明に必要な部分のみ図示している。
ダンパ６６を弦２から浮かせた状態で固定するには、まず、ラウドペダル５２を踏む。すると、レバー突上棒５４が上昇してラウドレバー５６が回動し、背面方向側の端部５６ａが上方に向かって移動する。そして、レール突上棒５８が上昇してリフティングレール６０が上方に向かって回動し、ダンパレバー６２が回動してダンパワイヤー６４が上昇し、ダンパ６６が弦２から浮いた状態となる。そして、ラウドペダル５２を踏んだままＬ字ピン６８を回動して鉤爪部６８ａをラウドレバー５６に引掛けると、ダンパ６６が弦２から浮いた状態で固定されるのである。その後、ピアノ本体１０の運搬のため、ラウドペダル５２及びレバー突上棒５４をペダル柱１４と共にピアノ本体１０から取外す。
以上説明したように、グランドピアノ１には予めラウドペダル装置５０が備え付けられているので、本実施形態では、これを利用してダンパを弦２から浮かせた状態に固定しているのである。従って、本実施形態のようにダンパ６６を固定すれば、緩衝材を用いることなく、ダンパ６６を傷つけずにグランドピアノ１を運搬することができる。また、本実施形態のようにダンパ６６を固定すれば、従来のように、ピアノの機種毎、あるいはダンパ６６のグループ毎に複数種類の緩衝材を用意する手間を省くことができる。さらに、グランドピアノ１を運搬するために必要だった大量の緩衝材が不要となるので、資源を節約できる。また、さらに、本実施形態のようにダンパ６６を固定すれば、Ｌ字ピン６８をラウドレバー５６に引掛けるだけの簡単な操作で、ダンパ６６を弦２から浮かせた状態に固定できる。
【００２３】
尚、上述したように本実施形態では、Ｌ字ピン６８を用いてダンパ６６を弦２から浮かせた状態に固定する方法について説明したが、図２（ｂ）に示すように、リフティングレール６０と、鍵盤くわえ１２ａ（あるいは棚板１２）との間にフェルトからなるくさび（本発明の第１くさびに相当する）６９を噛ませて、ダンパ６６を浮かせた状態で固定してもよい。鍵盤くわえ１２ａは、棚板１２上に設置される鍵部３０の位置を定めるものである。
［第２実施形態］
本第２実施形態については、第１実施形態と同じ構成要素については同じ符号を付して説明を省略し、異なる点のみ説明する。
ここで、図３は、グランドピアノの側面側から見た演奏装置の構成図である。
【００２４】
本実施形態のグランドピアノ１は、ダンパ操作装置として、図３に示すように、サスタニングペダル７２を踏み操作した時に弦２から浮いているダンパ６６を、踏み操作を継続することにより弦２から浮いた状態に保持するサスタニングぺダル装置７０を備えている。このサスタニングペダル装置７０は、サスタニングペダル７２と、レバー突上棒７４と、サスタニングレバー７６と、操作アーム７８と、サスタニングロッド８０と、爪部８２と、サスタニングタンジェント８４とからなる。尚、このサスタニングペダル装置７０は、正面方向に向かってラウドペダル装置５０の左側（図３の紙面の手前側）に通常、取り付けられている。
【００２５】
このうちサスタニングペダル７２は、ペダル柱１４の下端に揺動自在に取り付けられ、背面方向側の端部７２ａを押下すると正面方向側の端部７２ｂが上方に移動するよう揺動する。レバー突上棒７４は、下端がサスタニングペダル７２の正面方向側側の端部７２ｂに接続されるとともに、ペダル柱１４の長さ方向とレバー突上棒７４の長さ方向とが沿いかつ、レバー突上棒７４の長さ方向に平行移動自在となるようペダル柱１４の正面方向側に取り付けられる。そして、このレバー突上棒７４は、サスタニングペダル７２を踏み操作すると上方に平行移動する。
【００２６】
サスタニングレバー７６は、棚板１２の下面に、その長さ方向中央部分を支点に揺動自在に取り付けられ、その背面方向側の端部７６ａにはレバー突上棒７４の上端が接続されている。そして、このサスタニングレバー７６は、レバー突上棒７４が上方に移動すると、背面方向側の端部７６ａが上方に、正面方向側の端部７６ｂが下方に向かうよう回動する。操作アーム７８は、下端がサスタニングレバー７６の正面方向側の端部７６ｂに接続され、棚板１２を貫通してサスタニングロッド８０に接続されている。
【００２７】
サスタニングロッド８０は、鍵部３０の配列方向に沿って設置され、ピアノ本体１０に軸回動自在に取り付けられるとともに、下端が操作アーム７８の上端に接続されている。このサスタニングロッド８０は、操作アーム７８が下方に移動すると軸回転し、サスタニングロッド８０の外周面上に設けられている爪部８２が、持ち上げられたサスタニングタンジェント８４に下方から当接して引掛け自在な位置に設置されている。サスタニングタンジェント８４は、ダンパワイヤー６４の下端部に設けられ、ダンパワイヤー６４が上方に移動すると持ち上げられ、ダンパ６６が弦２から浮いた状態になったとき、サスタニングロッド８０が軸回転して爪部８２が引っかかる位置に配置されている。
次に、本実施形態のグランドピアノ１には、棚板１２の下面側であって、サスタニングレバー７６の背面方向側端部の傍らに、Ｌ字ピン８８が取り付けられている。このＬ字ピン８８は、サスタニングペダル装置７０が操作され、サスタニングレバー７６が回動したとき、このサスタニングレバー７６の背面方向側に引っ掛けられる位置に鉤爪部８８ａが位置するよう棚板１２に取り付けられている。このＬ字ピン８８は、本発明の第２引掛部材に相当する。
このように構成された本実施形態のグランドピアノ１のダンパ６６を弦２から浮かせた状態で固定するダンパ固定方法について説明する。
【００２８】
ここで、図４は、グランドピアノの演奏装置を側面から見た構成図で、（ａ）はサスタニングレバーにＬ字ピンを引っかけた様子を示し、（ｂ）は、サスタニングレバーと棚板との間にくさびを噛ませた様子を示している。図４では、説明に必要な部分のみ図示している。
【００２９】
このグランドピアノ１のダンパ６６を弦２から浮いた状態で固定するには、まず、ラウドペダル５２を踏む。すると、図４（ａ）に示すように、ダンパワイヤー６４が上昇し、ダンパ６６が弦２から浮き上がる。次に、ラウドペダル５２を踏んだまま、サスタニングペダル７２を踏む。すると、レバー突上棒７４が上昇してサスタニングレバー７６が回動し、その正面方向側の端部７６ｂが下がって操作アーム７８が下降し、さらにサスタニングロッド８０が回転して、爪部８２がサスタニングタンジェント８４の下方から当接する。そして、サスタニングペダル７２を踏んだままＬ字ピン８８を回動して鉤爪部８８ａをサスタニングレバー７６に引掛ける。すると、サスタニングペダル装置７０が、操作状態のまま固定されるので、ダンパ６６が弦２から浮いた状態で固定されるのである。その後、ピアノ本体１０の運搬のため、サスタニングペダル７２及びレバー突上棒７４をペダル柱１４と共にピアノ本体１０から取外す。
【００３０】
以上説明したようにグランドピアノ１には予めサスタニングペダル装置７０が備え付けられているので、本実施形態では、これを利用してダンパ６６を弦２から浮かせた状態に固定しているのである。従って、本実施形態のようにダンパ６６を固定すれば、緩衝材を用いることなく、ダンパ６６を傷つけずにグランドピアノ１を運搬することができる。また、本実施形態ようにダンパ６６を固定すれば、従来のように、ピアノの機種毎、あるいはダンパ６６のグループ毎に複数種類の緩衝材を用意する手間を省くことができる。さらに、グランドピアノ１を運搬するために必要だった大量の緩衝材が不要となるので、資源を節約できる。また、さらに、本実施形態にようにダンパ６６を固定すれば、Ｌ字ピン８８をサスタニングレバー７６に引掛けるだけの簡単な操作で、ダンパ６６を弦２から浮かせた状態に固定できる。
【００３１】
尚、上述したように本実施形態では、Ｌ字ピン８８を用いてダンパ６６を弦２から浮かせた状態に固定する例について説明したが、図４（ｂ）に示すように、サスタニングレバー７６の支点より正面方向側と、棚板１２との間にくさび７９（本発明の第２くさびに相当する）を噛ませて、ダンパ６６を浮かせた状態に固定してもよい。
［第３実施形態］
次に、本発明の第３実施形態について説明する。尚、本第３実施形態については、第１実施形態と同じ構成要素については同じ符号を付して説明を省略し、異なる点のみ説明する。
【００３２】
ここで、図５は、アクション装置が取り付けられた部分のグランドピアノの側部断面図で、（ａ）は詰物を詰める前の様子、（ｂ）は詰物を詰めた様子を示している。
本実施形態のグランドピアノ１は、図５（ａ）に示すように、鍵３０の押鍵側（背面方向側）を覆う鍵盤蓋９０を備えており、この鍵盤蓋９０は、グランドピアノ１本体に回動自在に取り付けられている。この鍵盤蓋９０を閉じると、鍵３０との間に所定間隔の隙間αを開けて鍵３０が覆われる。
【００３３】
また、本実施形態のグランドピアノ１は、図５（ｂ）に示すように、ダンパレバー６２の背面方向側の先端６２ａが、鍵３０の正面方向側端部の上方に配置されており、鍵３０が押鍵操作され、鍵３０の正面方向側の端部が持ち上がると、ダンパレバー６２の先端６２ａが上方に持ち上げられ、ダンパ６６が弦２から浮くよう構成されている。
【００３４】
さらに、本実施形態のグランドピアノ１は、運搬のため、本体からペダル柱１４等が取り外されている。
以上のように構成されたグランドピアノ１を、本実施形態では次のように梱包する。
【００３５】
まず、隙間αより厚みのあるフェルト製の詰物９２を隙間αに詰め、鍵盤蓋９０を閉じる。この詰物９２は、ダンパ６６が最低音から７０〜７５番目の音まで備えられているので、本実施形態では、最低音から７０〜７５本分の鍵３０上に乗る大きさに形成されており、これらの鍵３０に乗るように詰物９２が詰められる。すると、鍵盤蓋９０に押された詰物９２がこれら？本すべての鍵３０を押鍵し、ダンパ６６が弦２から浮いた操作状態となる。
【００３６】
次に、鍵盤蓋３０を閉じた状態が維持されるようグランドピアノ１本体を梱包材９９で梱包する。すると、グランドピアノ１はこの梱包材９９で梱包されている限り、前述した操作状態が維持される。そのため、この梱包されたグランドピアノ１を運搬しても、ダンパ６６が弦２に当たることがない。
【００３７】
従って、以上説明したようにグランドピアノ１本体を梱包すれば、グランドピアノ１本体の運搬中にダンパ６６が弦２に当たって傷つくことを、緩衝材を用いることなく防止することができる。
また、グランドピアノ１の鍵３２の数は８８鍵で、その大きさもＪＩＳ（日本工業規格）により定められているので、一つの大きさの詰物９２を作成すれば、複数種類のグランドピアノ１について同様に梱包できる。
【００３８】
尚、本第３実施形態では、詰物９２を構成する材料としてフェルトを用いたが、このほかにもクッション性があるものが好ましく、具体的にはスポンジ、発泡スチロール、布でもよい。また、鍵盤蓋３０にロック装置が備え付けられている場合、鍵盤蓋３０を閉じたとき、そのロック装置で鍵盤蓋３０を閉じた状態にロックしてもよい。さらに、詰物９２は、８８本すべての鍵３０に乗る大きさに形成されていてもよい。
【００３９】
最後に、本発明の実施の形態は、上記実施形態に何ら限定されるものではなく、本発明の技術的範囲に属する限り種々の形態を採り得ることはいうまでもない。
【図面の簡単な説明】
【図１】  グランドピアノの側面側から見た、ラウドペダル装置の構成図である。
【図２】  グランドピアノの側面側から見た、ラウドペダル装置の構成図で、ダンパを固定する方法を説明するための説明図である。
【図３】  グランドピアノの側面側から見た、サスタニングペダル装置の構成図である。
【図４】  グランドピアノの側面側から見た、サスタニングペダル装置の構成図で、サスタニングペダルを固定する方法を説明するための説明図である。
【図５】  アクション装置が取り付けられた部分のグランドピアノの側部断面図で、（ａ）は詰物を詰める前の様子、（ｂ）は詰物を詰めた様子を示している。
【図６】 グランドピアノに緩衝材が設置される様子を説明する説明図である。
【図７】 グランドピアノのダンパの配置図である。
【符号の説明】
１…グランドピアノ、２…弦、３…アクション装置、１０…ピアノ本体、１２…棚板、１４…ペダル柱、１６…ダンパレバーレール、１８…バック、３０…鍵部、３２…鍵、３４…筬、３６…中筬、４０…伝達部、４２…ハンマー、４４…アクション、４６…ハンマーシャンクレール、５０…ラウドペダル装置、５２…ラウドペダル、５４…レバー突上棒、５６…ラウドレバー、５８…レール突上棒、６０…リフティングレール、６２…ダンパレバー、６４…ダンパワイヤー、６６…ダンパ、６６ａ…ダンパフェルト、６８…Ｌ字ピン、６９…くさび、７０…サスタニングペダル装置、７２…サスタニングペダル、７４…レバー突上棒、７６…サスタニングレバー、７８…操作アーム、７９…くさび、８０…サスタニングロッド、８２…爪部、８４…サスタニングタンジェント、８８…Ｌ字ピン、９０…鍵盤蓋、９２…詰物、９９…梱包材
【図１】
0003848140.tif 000002
【図２】
0003848140.tif 000003
【図３】
0003848140.tif 000004
【図４】
0003848140.tif 000005
【図５】
0003848140.tif 000006
【図６】
0003848140.tif 000007
【図７】
0003848140.tif 000008